(57)【要約】【課題】  ２つ以上の染料を用いるインクにおいて、染料を最適に組み合わせることにより、各染料の耐候性（ΔＥ）を揃えることにより、印字した画像の長期保存後のカラーバランスに優れ、且つ明度、彩度も優れたインクを提供すること。【解決手段】  少なくともトリフェニルメタン系シアン色材と銅フタロシアニン系シアン色材とイエロー色材とを含むことを特徴とするインクジェット記録用インク。【選択図】  なし【特許請求の範囲】
【請求項１】
少なくともトリフェニルメタン系シアン色材と銅フタロシアニン系シアン色材とイエロー色材とを含むことを特徴とするインクジェット記録用インク。
【請求項２】
前記トリフェニルメタン系シアン色材と前記銅フタロシアニン系シアン色材との合計質量をＡとし、イエロー色材の質量をＢとしたとき、Ａ／Ｂが１／２０以上、１／２以下である請求項１に記載のインクジェット記録用インク。
【請求項３】
前記Ａ／Ｂが、１／１０以上、１／４以下である請求項２に記載のインクジェット記録用インク。
【請求項４】
前記Ａ／Ｂが、１／１０以上、５以下である請求項２に記載のインクジェット記録用インク。
【請求項５】
前記Ａ／Ｂが、１／５以上、３以下である請求項２に記載のインクジェット記録用インク。
【請求項６】
前記トリフェニルメタン系シアン色材が、Ｃ．Ｉ．アシッドブルー９である請求項１〜５の何れか１項に記載のインクジェット記録用インク。
【請求項７】
前記インクによる画像の３年以上の擬似室内窓越し太陽光褪色に相当する褪色を生じる条件による耐光性試験においてのＣＩＥＬＡＢ色空間表示系における色相角の差Δｈが６°以内である請求項１〜６の何れか１項に記載のインクジェット記録用インク。
【請求項８】
前記インクによる画像の槽内温度４０℃、相対湿度５５％、３ｐｐｍのオゾン雰囲気下の条件で、２時間暴露においてのＣＩＥＬＡＢ色空間表示系における色相角の差Δｈが６°以内である請求項１〜７の何れか１項に記載のインクジェット記録用インク。
【請求項９】
前記イエロー色材が少なくとも以下の化学式で表される色材を含む請求項１〜８の何れか１項に記載のインクジェット記録用インク。
2005298608.tif 000008
（式中、Ｒ1及びＲ2は各々独立に置換若しくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【発明の詳細な説明】
【技術分野】
【０００１】
本発明は、インクジェット記録用インクに関する。
【背景技術】
【０００２】
インクジェットプリンタ等のインクジェット記録装置に用いられるインクは、数ある材料の中から最適なものを選択して調製されている。例えば、染料だけに注目しても、直接染料や酸性染料等があり、それぞれ異なる特徴を有している。例えば、直接染料を用いたインクを印刷した場合には、比較的耐候性に優れているという特徴があり、酸性染料を用いたインクを印刷した場合には、高い明度、彩度の印刷物が得られるという特徴がある。
このような背景の中で、例えば、特許文献１ではイエロー領域の色再現範囲を広げるために有効な、高発色であり、且つ耐候性に優れた色材として特定構造を有するアゾピリドン型染料及びこれを用いたインクが開示されている。
【特許文献１】特表２００２−５０４６１３号公報
【発明の開示】
【発明が解決しようとする課題】
【０００３】
しかしながら、インクジェット記録装置の用途が拡大されつつある中にあって、インクに対しては、明度、彩度が高くて、且つ耐候性にも優れているものが求められているが、これらの要求を全て満足する染料は未だ見出されていないという問題点がある。
【０００４】
例えば、直接染料は比較的耐候性に優れているが、明度、彩度が低い。これに対して、酸性染料は、高い明度、彩度が得られるが、耐候性が悪い。又、２つ以上の染料を用いたインクにおいて、各染料の耐候性に大きな差があると、印字後の画像の長期保存におけるカラーバランスが崩れ、画質の劣化がより大きい印象を与えがちである。長期保存とは、即ち、太陽光や各種照明光等による変褪色（耐光性）や、大気中に微量に含まれる酸化性ガス（オゾン、ＮＯx、ＳＯx等）による変褪色（耐ガス性）といった画像堅牢性である。例えば、グリーンインクにおいて印字後に長期保存した場合、シアン染料、若しくはグリーン染料のシアンパートのみの褪色が大きいと、印字直後の画像と比較して黄味の強い画像となってしまう。
【０００５】
従って、本発明の目的は、２つ以上の染料を用いるインクジェット記録用インクにおいて、染料を最適に組み合わせることにより、各染料の耐候性（ΔＥ）を揃えることにより、印字した画像の長期保存後のカラーバランスに優れ、且つ明度、彩度も優れたインクジェット記録用インクを提供することにある。
【課題を解決するための手段】
【０００６】
本発明者らは、上記目的に鑑み鋭意検討の結果、少なくともトリフェニルメタン系シアン色材と銅フタロシアニン系シアン色材とイエロー色材とを含むインクにより明度、彩度に優れ、尚且つカラーバランスを崩すことなく、長期保存後の画質の劣化を防ぐことができることを見出し、本発明を完成するに至った。
【０００７】
即ち、本発明は、少なくともトリフェニルメタン系シアン色材と銅フタロシアニン系シアン色材とイエロー色材とを含むことを特徴とするインクジェット記録用インク（以下単に「インク」という）を提供する。
【０００８】
上記本発明のインクにおいては、前記トリフェニルメタン系シアン色材と前記銅フタロシアニン系シアン色材との合計質量をＡとし、イエロー色材の質量をＢとしたとき、Ａ／Ｂが１／２０以上、１／２以下であること；更に上記Ａ／Ｂが、１／１０以上、１／４以下であることが好ましく、又、上記Ａ／Ｂが、１／１０以上、５以下であることがより好ましく、又、上記Ａ／Ｂが、１／５以上、３以下であることが最も好ましい。
【０００９】
又、上記本発明のインクにおける前記トリフェニルメタン系シアン色材が、Ｃ．Ｉ．アシッドブルー９であることが好ましい。
【００１０】
又、上記本発明のインクは、該インクによる画像の３年以上の擬似室内窓越し太陽光褪色に相当する褪色を生じる条件による耐光性試験においてのＣＩＥＬＡＢ色空間表示系における色相角の差Δｈが６°以内であること；及び前記インクによる画像の槽内温度４０℃、相対湿度５５％、３ｐｐｍのオゾン雰囲気下の条件で、２時間暴露においてのＣＩＥＬＡＢ色空間表示系における色相角の差Δｈが６°以内であることが好ましい。
【００１１】
又、上記本発明のインクは、該インクによるイエロー色材が少なくとも以下の化学式で表される色材を含むことが好ましい。
2005298608.tif 000002
（式中、Ｒ1及びＲ2は各々独立に置換もしくは未置換のアルキル基、アリール基、アリールアルキル基、又は水素の何れかを表す。Ｒ3及びＲ5はそれぞれ独立に、カルボキシル基、スルホン酸基、リン酸基、又はそれらの塩の基、又はこれらの基で置換されたアルキル基を表す。Ｒ4及びＲ6はそれぞれ独立に、Ｒ3及びＲ5に対して定義した以外の基を表す。ｐ及びｒは、それぞれ独立に１乃至５の整数を表し、ｑ及びｓは、それぞれ独立に０乃至４の整数を表す。又、ｐ＋ｑが５以下の値を有し、ｒ＋ｓが５以下の値を有す。）
【発明の効果】
【００１２】
本発明によれば、明度及び彩度に優れ、且つ印字した画像の長期保存によるカラーバランスに優れたインクを提供することができる。
【発明を実施するための最良の形態】
【００１３】
以下に好ましい実施の形態を挙げて、本発明を更に詳細に説明する。
（インク）
本発明に用いられるインクの色材としては、一般的に用いられている染料や顔料等の公知の色材であっても新規に合成された色材であっても、本発明の範囲内で適宜選択して用いることができる。又、インク中に含有させる色材は前記３種の色材を必須とするが、更に別の色材を含有させることも可能である。
特に、本発明ではイエロー、シアン用色材として酸性染料、直接染料を用いることが好ましい。酸性染料、直接染料は、普通紙、或いは光沢紙、コート紙、光沢フィルムと呼ばれるような、表面にコート層或いはインク受容層を有する特殊媒体等、各種の被記録媒体で良好な発色を得ることができるため、本発明に好適に用いることができる。
【００１４】
下記に本発明に用いることのできるイエロー及びシアン用色材の一例として酸性染料及び直接染料の具体例を色調別に例示するが、本発明はこれらに限定されるものではない。
【００１５】
（イエロー色材）
Ｃ．Ｉ．ダイレクトイエロー：８、１１、１２、２７、２８、３３、３９、４４、５０、５８、８５、８６、８７、８８、８９、９８、１００、１１０、１３２、１７３；Ｃ．Ｉ．アシッドイエロー：１、３、７、１１、１７、２３、２５、２９、３６、３８、４０、４２、４４、７６、９８、９９。
【００１６】
下記の例示化合物１
2005298608.tif 000003
又、本発明には国際公開番号：ＷＯ  ０２／０８１５８０  Ａ１に挙げられている例示化合物２も好適に用いることができる。
2005298608.tif 000004
【００１７】
又、上記に挙げた色材のうち２つ以上の色材を混ぜて使っても全くかまわない。更にイエローの色材を選ぶ基準としては、相手となるシアン色材の耐光性、耐オゾン性を考慮すると、イエロー色材により得られるイエローインクによる画像の３年以上の擬似室内窓越し太陽光褪色に相当する褪色を生じる条件による耐光性試験においてのＣＩＥＬＡＢ色空間表示系における色差ΔＥの値が５以上２０未満であること、且つ前記イエロー色材から得られるイエローインクによる画像の槽内温度４０℃、相対湿度５５％、３ｐｐｍのオゾン雰囲気下の条件で、２時間暴露においてのＣＩＥＬＡＢ色空間表示系における色差ΔＥの値が５以上４０未満であることが更に好ましい。
【００１８】
（銅フタロシアニン系シアン色材）
2005298608.tif 000005
上記一般式Ｉ中、ＣｕＰｃは、銅フタロシアニン残基を表している。又、Ｑはアルカリ金属（例えば、Ｌｉ、Ｎａ、Ｋ、Ｒｂ、Ｃｓ、Ｆｒ等）又はアンモニウムである。又、ｘは１、２、３又は４であり、ｙは１、２又は３である。そしてｘ＋ｙ＝２のものを含まないか、或いは実質的に含まない。即ち、本発明に係るインクが含んでいるフタロシアニン系色材として、具体的には下記の構造を有する色材の何れか、若しくはそれらの混合物を含み、ｘ＋ｙ＝２の構造のものは含んでいないか、或いは実質的に含んでいない。
【００１９】
2005298608.tif 000006
【００２０】
（トリフェニルメタン系シアン色材）
Ｃ．Ｉ．アシッドブルー：１、３、５、７、９、１１、１３、１５、１７、２２、２４、２６、３４、４８、７５、８３、８４、８６、８８、９０、９１、９３、９９、１００、１０３、１０４、１０８、１０９、１１０、１１９、１４７、２６９。
【００２１】
又、上記した染料のうち、良好な色再現性が得られるだけでなく、インクジェット記録装置にかかる信頼性、例えば、記録ヘッドの目詰り性、インク液媒体への溶解性、インクの保存安定性等が十分に得ることができるため、特に、イエロー色材としてＡＹ（Ｃ．Ｉ．アシッドイエロー）１７、ＡＹ２３、ＤＹ（Ｃ．Ｉ．ダイレクトイエロー）８６、ＤＹ１３２、ＤＹ１７３、例示化合物１、２、又、シアン色材としてＡＢＬ（Ｃ．Ｉ．アシッドブルー）９、ＤＢＬ（Ｃ．Ｉ．ダイレクトブルー）１９９、ＤＢＬ３０７、例示化合物３〜９が好適に用いることができる。
【００２２】
更には、他のインクとのインクセットとして考えた場合に、色域拡大効果、とくにｓＲＧＢ色空間に対する色域拡大効果を考えると、より好ましい色相とするためには、前記トリフェニルメタン系シアン色材と前記銅フタロシアニン系シアン色材との合計質量をＡとし、イエロー色材の質量をＢとしたとき、Ａ／Ｂが１／２０以上、１／２以下、より好ましくはＡ／Ｂが１／１０以上、１／４以下であることが尚好ましい。又、高い彩度、明度を出しつつも、前記耐光性、及び耐オゾン性試験において色相角の差Δｈが６°以内とするためには、Ａ／Ｂが１／１０以上、５以下、より好ましくはＡ／Ｂが１／５以上、３以下である。
【００２３】
インク中に含有させる前記３種の色材の総含有量としては、インク全質量に対して０．１〜１５質量％とすることが好ましい。又、トリフェニルメタン系シアン色材（色材ａ）と銅フタロシアニン系シアン色材（色材ｂ）との使用割合は、色材ａ／色材ｂ＝１／２〜１／１であることが好ましい。
【００２４】
上記した色材を、本発明にかかる画像形成方法、画像形成装置で好適に用いられる形態、例えば、粉体、水溶液等に、これら各種画像形成方法、画像形成装置で一般的に用いられる手法を用いて加工して用いることができる。一例として、インクジェット記録装置に用いる本発明のインクについて述べる。本発明のインクは、水を主体とする水性媒体に前記の色材を溶解或いは分散させて用いるのが一般的である。
【００２５】
上記水性媒体としては、水単独、或いは水と水溶性有機溶剤を含むものが利用できる。この水溶性有機溶剤としては、水溶性を示すものであれば特に制限はなく、アルコール、多価アルコール、ポリグリコール、グリコールエーテル、含窒素極性溶媒、含硫黄極性溶媒、尿素類、糖類等、一般的にインクジェット用インクの溶剤として用いられているものであれば、問題なく使用することができる。これらの溶剤はインクの保湿性維持や色材の溶解性、分散性の向上、インクの記録紙への浸透剤等の用途として用いられる。又、これらの溶剤は単独でも複数を組み合わせて用いることもできる。
【００２６】
水溶性有機溶剤の含有量は、一般にはインク全体の１〜５０質量％の範囲が好ましく、より好ましくは３〜４０質量％の範囲である。又、インク中の水の含有量は、染料の溶解性やインクの吐出安定性を良好に保つために、３０〜９５質量％の範囲が好ましい。
【００２７】
更に本発明のインクには上記成分以外にも必要に応じて界面活性剤、ｐＨ調整剤、防錆剤、防腐剤、防カビ剤、酸化防止剤、還元防止剤、蒸発促進剤、キレート化剤、水溶性ポリマー等、種々の添加剤を含有させてもよい。
【００２８】
例えば、界面活性剤としては、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール、アセチレングリコール等の非イオン性界面活性剤があり、これらの１種又は２種以上を適宜選択して使用できる。上記した中でも、特にアセチレンアルコール類や、アセチレングリコール類が普通紙への浸透性に優れた効果を発揮するために好適に用いることができる。その使用量は、分散剤の添加量により異なるが、インク全量に対して、０．０１〜５質量％が望ましい。この際、インクの２５℃における表面張力は１０ｍＮ／ｍ（ｄｙｎ／ｃｍ）以上が好ましく、より好ましくは２０ｍＮ／ｍ以上となるように、又、表面張力が６０ｍＮ／ｍ以下となるように活性剤の添加する量を決定することが好ましい。なぜなら、本発明で使用するインクジェット記録方式においては、ノズル先端の濡れによる印字ヨレ（インク滴の着弾点のズレ）等の発生を有効に抑えることができるからである。又、インクはインクジェット記録装置で良好な吐出特性を得るために、所望の粘度やｐＨを有するように調整することが好ましい。
【００２９】
（被記録媒体）
本発明に用いることのできる被記録媒体としては、普通紙、或いは光沢紙、コート紙、光沢フィルムと呼ばれるような、表面にコート層或いはインク受容層を有する特殊媒体等、一般的に用いられている記録媒体を用いることができる。これらの中でも、より鮮やかさ、コントラスト、透明感の高い画像が得られる記録媒体の一例として、基材上に親水性の多孔質粒子層、多孔質高分子層等を有する特殊媒体を挙げることができる。
【００３０】
本発明で用いられる被記録媒体としての特殊媒体の１例を更に詳述すると、染料や顔料等の色材をインク受容層内の親水性多孔質構造を形成する微粒子に吸着させて、少なくともこの吸着した色材によって画像が形成される被記録媒体であり、インクジェット法を利用する場合には特に好適である。このような被記録媒体としては支持体上のインク受容層に形成された空隙によりインクを吸収するいわゆる吸収タイプであることが好ましい。
【００３１】
吸収タイプのインク受容層は、微粒子を主体とし、必要に応じて、バインダーやその他の添加剤を含有する親水性多孔質層として構成される。微粒子の例としては、シリカ、クレー、タルク、炭酸カルシウム、カオリン、アルミナ或いはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。
【００３２】
上記バインダーとして好適に使用されているものには水溶性高分子やラテックスを挙げることができる。例えば、ポリビニルアルコール又はその変性体、澱粉又はその変性体、ゼラチン又はその変性体、アラビアゴム、カルボキシメチルセルロース、ヒドロキシエチルセルロース、ヒドロキシプロピルメチルセルロース等のセルロース誘導体、ＳＢＲラテックス、ＮＢＲラテックス、メチルメタクリレート−ブタジエン共重合体ラテックス、官能基変性重合体ラテックス、エチレン酢酸ビニル共重合体等のビニル系共重合体ラテックス、ポリビニルピロリドン、無水マレイン酸又はその共重合体、アクリル酸エステル共重合体等が使用され、必要に応じて２種以上を組み合せて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤等が使用される。
【００３３】
次に、上述したインクを用いて被記録媒体に画像記録を行うのに好適な画像記録装置を用いた画像記録方法について説明する。
（記録装置）
上記した本発明にかかるインクを用いて記録を行うのに好適な方法及び装置としては、例えば、記録ヘッドの室内のインクに記録信号に対応した熱エネルギーを与え、該熱エネルギーにより液滴を発生させる方法及び装置が挙げられる。
【００３４】
（装置本体）
図１及び図２にインクジェット記録方式を用いたプリンタの概略構成例を示す。図１において、この実施形態におけるプリンタの装置本体Ｍ１０００の外郭は、下ケースＭ１００１、上ケースＭ１００２、アクセスカバーＭ１００３及び排出トレイＭ１００４を含む外装部材と、その外装部材内に収納されたシャーシＭ３０１９（図２参照）とから構成される。
【００３５】
シャーシＭ３０１９は、所定の剛性を有する複数の板状金属部材によって構成され、記録装置の骨格をなし、後述の各記録動作機構を保持するものとなっている。又、前記下ケースＭ１００１は装置本体Ｍ１０００の外装の略下半部を、上ケースＭ１００２は装置本体Ｍ１０００の外装の略上半部をそれぞれ形成しており、両ケースの組合せによって内部に後述の各機構を収納する収納空間を有する中空体構造をなしている。装置本体Ｍ１０００の上面部及び前面部には、それぞれ、開口部が形成されている。
【００３６】
更に、排出トレイＭ１００４は、その一端部が下ケースＭ１００１に回転自在に保持され、その回転によって下ケースＭ１００１の前面部に形成される前記開口部を開閉させ得るようになっている。このため、記録動作を実行させる際には、排出トレイＭ１００４を前面側へと回転させて開口部を開成させることにより、ここから記録シートが排出可能となると共に排出された記録シートＰを順次積載し得るようになっている。又、排紙トレイＭ１００４には、２枚の補助トレイＭ１００４ａ、Ｍ１００４ｂが収納されており、必要に応じて各トレイを手前に引き出すことにより、用紙の支持面積を３段階に拡大、縮小させ得るようになっている。
【００３７】
アクセスカバーＭ１００３は、その一端部が上ケースＭ１００２に回転自在に保持され、上面に形成される開口部を開閉し得るようになっており、このアクセスカバーＭ１００３を開くことによって本体内部に収納されている記録ヘッドカートリッジＨ１０００或いはインクタンクＨ１９００等の交換が可能となる。尚、ここでは特に図示しないが、アクセスカバーＭ１００３を開閉させると、その裏面に形成された突起がカバー開閉レバーを回転させるようになっており、そのレバーの回転位置をマイクロスイッチ等で検出することにより、アクセスカバーの開閉状態を検出し得るようになっている。
【００３８】
又、上ケースＭ１００２の後部上面には、電源キーＥ００１８及びレジュームキーＥ００１９が押下可能に設けられると共に、ＬＥＤ  Ｅ００２０が設けられており、電源キーＥ００１８を押下すると、ＬＥＤ  Ｅ００２０が点灯し記録可能であることをオペレータに知らせるものとなっている。又、ＬＥＤ  Ｅ００２０は点滅の仕方や色の変化をさせたり、プリンタのトラブル等をオペレータに知らせる等種々の表示機能を有する。尚、トラブル等が解決した場合には、レジュームキーＥ００１９を押下することによって記録が再開されるようになっている。
【００３９】
（記録動作機構）
次に、プリンタの装置本体Ｍ１０００に収納、保持される本実施形態における記録動作機構について説明する。
本実施形態における記録動作機構としては、記録シートＰを装置本体内へと自動的に給送する自動給送部Ｍ３０２２と、自動給送部から１枚ずつ送出される記録シートＰを所定の記録位置へと導くと共に、記録位置から排出部Ｍ３０３０へと記録シートＰを導く搬送部Ｍ３０２９と、記録位置に搬送された記録シートＰに所望の記録を行なう記録部と、前記記録部等に対する回復処理を行う回復部（Ｍ５０００）とから構成されている。
【００４０】
（記録部）
ここで、記録部について説明するに、その記録部は、キャリッジ軸Ｍ４０２１によって移動可能に支持されたキャリッジＭ４００１と、このキャリッジＭ４００１に着脱可能に搭載される記録ヘッドカートリッジＨ１０００とからなる。
【００４１】
（記録ヘッドカートリッジ）
つづいて記録部に用いられる記録ヘッドカートリッジについて図３〜１０に基づき説明する。
本発明の記録ヘッドＨ１００１は、図３（ａ）及び図３（ｂ）の斜視図でわかるように、記録ヘッドカートリッジＨ１０００を構成する一構成要素であり、記録ヘッドカートリッジＨ１０００は、記録ヘッドＨ１００１と記録ヘッドＨ１００１に着脱自在に設けられたインクタンクＨ１９００（Ｈ１９０１、Ｈ１９０２、Ｈ１９０３、Ｈ１９０４）とで構成されている。この記録ヘッドカートリッジＨ１０００は、インクジェット記録装置本体に載置されているキャリッジＭ４００１の位置決め手段及び電気的接点によって固定支持されるとともに、該キャリッジＭ４００１に対して着脱可能となっている。インクタンクＨ１９０１はブラックのインク用、インクタンクＨ１９０２はシアンのインク用、インクタンクＨ１９０３はマゼンタのインク用、インクタンクＨ１９０４はイエローのインク用である。このようにインクタンクＨ１９０１、Ｈ１９０２、Ｈ１９０３、Ｈ１９０４のそれぞれが記録ヘッドＨ１００１に対して着脱自在となり、それぞれのインクタンクが交換可能となっていることにより、インクジェット記録装置における印刷のランニングコストが低減される。
【００４２】
次に記録ヘッドＨ１００１に関して更に詳しく記録ヘッドを構成しているそれぞれの構成要素毎に順を追って説明する。図４から図１０は、本発明が実施若しくは適用される好適なヘッドカートリッジ、記録ヘッド、インクタンクのそれぞれ及びそれぞれの関係を説明するための説明図である。以下、これらの図面を参照して各構成要素の説明を行う。
【００４３】
（１）記録ヘッド
記録ヘッドＨ１００１は、電気信号に応じて膜沸騰をインクに対して生じせしめるための熱エネルギーを生成する電気熱変換体を用いて記録を行うバブルジェット（登録商標）方式のサイドシュータ型とされる記録ヘッドである。
記録ヘッドＨ１００１は、図４の分解斜視図に示すように、記録素子ユニットＨ１００２とインク供給ユニットＨ１００３とタンクホルダーＨ２０００から構成される。
【００４４】
更に、図５の分解斜視図に示すように、記録素子ユニットＨ１００２は、第一の記録素子基板Ｈ１１００、第二の記録素子基板Ｈ１１０１、第１のプレートＨ１２００、電気配線テープＨ１３００、電気コンタクト基板Ｈ２２００、第２のプレートＨ１４００で構成されており、又、インク供給ユニットＨ１００３は、インク供給部材Ｈ１５００、流路形成部材Ｈ１６００、ジョイントゴムＨ２３００、フィルターＨ１７００、シールゴムＨ１８００から構成されている。
【００４５】
（１−１）記録素子ユニット
図６は、第一の記録素子基板Ｈ１１００の構成を説明するために一部分解した斜視図である。第一の記録素子基板Ｈ１１００は、例えば、厚さ０．５〜１ｍｍのＳｉ基板Ｈ１１１０にインク流路として長溝状の貫通口からなるインク供給口Ｈ１１０２がＳｉの結晶方位を利用した異方性エッチングやサンドブラスト等の方法で形成され、インク供給口Ｈ１１０２のを挟んだ両側に電気熱変換素子Ｈ１１０３がそれぞれ１列ずつ千鳥状に配列され、前記電気熱変換素子Ｈ１１０３と、電気熱変換素子Ｈ１１０３に電力を供給するＡｌ等の電気配線は成膜技術により形成されている。更に、前記電気配線に電力を供給するための電極部Ｈ１１０４が電気熱変換素子Ｈ１１０３の両外側に配列されており、電極部Ｈ１１０４にはＡｕ等のバンプＨ１１０５が形成されている。そして、前記Ｓｉ基板上には、電気熱変換素子Ｈ１１０３に対応したインク流路を形成するためのインク流路壁Ｈ１１０６と吐出口Ｈ１１０７が樹脂材料でフォトリソ技術によりに形成され、吐出口群Ｈ１１０８を形成している。したがって、前記電気熱変換素子Ｈ１１０３に対向して前記吐出口が設けられているため、インク流路Ｈ１１０２から供給されたインクは電気熱変換素子Ｈ１１０３により発生した気泡により吐出される。
【００４６】
又、図７は第二の記録素子基板Ｈ１１０１の構成を説明するために一部分解した斜視図である。第二の記録素子基板Ｈ１１０１は３色のインクを吐出させるための記録素子基板であり、３個のインク供給口Ｈ１１０２が並列して形成されており、それぞれのインク供給口を挟んだ両側に電気熱変換素子とインク吐出口が形成されている。もちろん第一の記録素子基板Ｈ１１００と同じようにＳｉ基板にインク供給口や電気熱変換素子、電気配線、電極部等が形成されておりその上に樹脂材料でフォトリソ技術によりインク流路やインク吐出口が形成されている。そして第一の記録素子基板と同様に電気配線に電力を供給するための電極部Ｈ１１０４にはＡｕ等のバンプＨ１１０５が形成されている。
【００４７】
次に第１のプレートＨ１２００は、例えば、厚さ０．５〜１０ｍｍのアルミナ（Ａｌ2Ｏ3）材料で形成されている。尚、第１のプレートの素材は、アルミナに限られることなく、記録素子基板Ｈ１１００の材料の線膨張率と同等の線膨張率を有し、且つ、記録素子基板Ｈ１１００材料の熱伝導率と同等若しくは同等以上の熱伝導率を有する材料で作られてもよい。第１のプレートＨ１２００の素材は、例えば、シリコン（Ｓｉ）、窒化アルミニウム（ＡｌＮ）、ジルコニア、窒化珪素（Ｓｉ3Ｎ4）、炭化珪素（ＳｉＣ）、モリブデン（Ｍｏ）、タングステン（Ｗ）のうち何れであってもよい。
【００４８】
第１のプレートＨ１２００には、第一の記録素子基板Ｈ１１００にブラックのインクを供給するためのインク供給口Ｈ１２０１と第二の記録素子基板Ｈ１１０１にシアン、マゼンタ、イエローのインクを供給するためのインク供給口Ｈ１２０１が形成されており、記録素子基板のインク供給口１１０２が第１のプレートＨ１２００のインク供給口Ｈ１２０１にそれぞれ対応し、且つ、第一の記録素子基板Ｈ１１００と第二の記録素子基板Ｈ１１０１はそれぞれ第１のプレートＨ１２００に対して位置精度良く接着固定される。接着に用いられる第１の接着剤Ｈ１２０２は、低粘度で硬化温度が低く、短時間で硬化し、硬化後比較的高い硬度を有し、且つ、耐インク性のあるものが望ましい。その第１の接着剤Ｈ１２０２は、例えば、エポキシ樹脂を主成分とした熱硬化接着剤であり、接着層の厚みは５０μｍ以下が望ましい。
【００４９】
電気配線テープＨ１３００は、第一の記録素子基板Ｈ１１００と第二の記録素子基板Ｈ１１０１に対してインクを吐出するための電気信号を印加するものであり、それぞれの記録素子基板を組み込むための複数の開口部と、それぞれの記録素子基板の電極部Ｈ１１０４に対応する電極端子Ｈ１３０２（不図示）と、この配線テープ端部に位置し本体装置からの電気信号を受け取るための外部信号入力端子Ｈ１３０１を有した電気コンタクト基板Ｈ２２００と電気的接続をおこなうための電極端子部Ｈ１３０３（不図示）を有しており電極端子Ｈ１３０２と電極端子１３０３は連続した銅箔の配線パターンでつながっている。
【００５０】
電気配線テープＨ１３００と第一の記録素子基板１１００と第二の記録素子基板Ｈ１１０１は、それぞれ電気的に接続されており、接続方法は、例えば、記録素子基板の電極部１１０４と電気配線テープＨ１３００の電極端子Ｈ１３０２が熱超音波圧着法により電気接合されている。
【００５１】
第２のプレートＨ１４００は、例えば、厚さ０．５〜１ｍｍの一枚の板状部材であり、例えばアルミナ（Ａｌ2Ｏ3）等のセラミックや、Ａｌ、ＳＵＳ等の金属材料で形成されている。そして、第１のプレートＨ１２００に接着固定された第一の記録素子基板Ｈ１１００と第二の記録素子基板Ｈ１１０１の外形寸法よりも大きな開口部をそれぞれ有する形状となっている。又、第一の記録素子基板Ｈ１１００及び第二の記録素子基板Ｈ１１０１と電気配線テープＨ１３００を平面的に電気接続できるように第１のプレートＨ１２００に第２の接着剤Ｈ１２０３により接着されており、電気配線テープＨ１３００の裏面が第３の接着剤Ｈ１３０６により接着固定される。
【００５２】
第一の記録素子基板Ｈ１１００及び第二の記録素子基板Ｈ１１０１と電気配線テープＨ１３００の電気接続部分は、第１の封止剤Ｈ１３０７（不図示）及び第２の封止剤Ｈ１３０８により封止され、電気接続部分をインクによる腐食や外的衝撃から保護している。第１の封止剤は、主に電気配線テープの電極端子Ｈ１３０２と記録素子基板の電極部Ｈ１１０５との接続部の裏面側と記録素子基板の外周部分を封止し、第２の封止剤は、前記接続部の表側を封止している。
【００５３】
更に電気配線テープの端部に本体装置からの電気信号を受け取るための外部信号入力端子Ｈ１３０１を有した電気コンタクト基板Ｈ２２００を異方性導電フィルム等を用いて熱圧着して電気的に接続する。
そして電気配線テープＨ１３００は、第１のプレートＨ１２００の一側面で折り曲げられ、第１のプレートＨ１２００の側面に第３の接着剤Ｈ１３０６（不図示）で接着される。第３の接着剤Ｈ１３０６は、例えば、エポキシ樹脂を主成分とした厚さ１０〜１００μｍの熱硬化接着剤が使用される。
【００５４】
（１−２）インク供給ユニット
インク供給部材Ｈ１５００は、例えば、樹脂成形により形成されている。該樹脂材料には、形状的剛性を向上させるためにガラスフィラーを５〜４０％混入した樹脂材料を使用することが望ましい。図５、図８に示すように、インク供給部材Ｈ１５００は、インクタンクＨ１９００から記録素子ユニットＨ１００２にインクを導くためのインク供給ユニットＨ１００３の一構成部品であり、流路形成部材Ｈ１６００を超音波溶着することによりインク流路Ｈ１５０１を形成している。又、インクタンクＨ１９００と係合するジョイントＨ１５１７には、外部からのゴミの進入を防ぐためのフィルターＨ１７００が溶着により接合されており、更に、ジョイントＨ１５１７部からのインクの蒸発を防止するために、シールゴムＨ１８００が装着されている。又、インク供給部材Ｈ１５００は、着脱自在のインクタンクＨ１９００を保持する機能も一部有しており、インクタンクＨ１９００の第２の爪Ｈ１９１０を係合する第１の穴Ｈ１５０３を有している。
【００５５】
又、記録ヘッドカートリッジＨ１０００をインクジェット記録装置本体のキャリッジＭ４００１に装着位置に案内するための装着ガイドＨ１６０１、記録ヘッドカートリッジをヘッドセットレバーによりキャリッジＭ４００１に装着固定するための係合部Ｈ１５０８、及びキャリッジＭ４００１の所定の装着位置に位置決めするためのＸ方向（キャリッジスキャン方向）の突き当て部Ｈ１５０９、Ｙ方向（記録メディア搬送方向）の突き当て部Ｈ１５１０、Ｚ方向（インク吐出方向）の突き当て部Ｈ１５１１を備えている。又、記録素子ユニットＨ１００２の電気コンタクト基板Ｈ２２００を位置決め固定する端子固定部Ｈ１５１２を有し、端子固定部Ｈ１５１２及びその周囲には複数のリブが設けられ、端子固定部Ｈ１５１２を有する面の剛性を高めている。
【００５６】
（１−３）記録ヘッドユニットとインク供給ユニットの結合
先述の図４に示した通り、記録ヘッドＨ１００１は、記録素子ユニットＨ１００２をインク供給ユニットＨ１００３に結合し更にタンクホルダーＨ２０００と結合することにより完成する。結合は以下のように行われる。記録素子ユニットＨ１００２のインク供給口（第１のプレートＨ１２００のインク供給口Ｈ１２０１）とインク供給ユニットＨ１００３のインク供給口（流路形成部材Ｈ１６００のインク供給口Ｈ１６０１）をインクがリークしないように連通させるため、ジョイントゴムＨ２３００を介してそれぞれの部材を圧着するようビスＨ２４００で固定する。この際同時に、記録素子ユニットＨ１００２はインク供給ユニットのＸ方向、Ｙ方向、Ｚ方向の基準位置に対して正確に位置決めがされ固定される。
【００５７】
そして、記録素子ユニットＨ１００２の電気コンタクト基板Ｈ１３０１はインク供給部材Ｈ１５００の一側面に、端子位置決めピンＨ１５１５（２ヶ所）と端子位置決め穴Ｈ１３０９（２ヶ所）により位置決めされ、固定される。固定方法は、例えば、インク供給部材Ｈ１５００に設けられた端子結合ピンＨ１５１５をかしめることにより固定されるが、その他の固定手段を用いて固定してもよい。完成図を図９に示す。更にインク供給部材Ｈ１５００のタンクホルダーとの結合穴及び結合部をタンクホルダーＨ２０００に勘合させ結合することにより記録ヘッドＨ１００１が完成する。完成図を図１０に示す。
【００５８】
（２）記録ヘッドカートリッジの説明
先述の図３（ａ）、（ｂ）は、記録ヘッドカートリッジＨ１０００を構成する記録ヘッドＨ１００１とインクタンクＨ１９０１、Ｈ１９０２、Ｈ１９０３、Ｈ１９０４の装着を説明する図であり、インクタンクＨ１９０１、Ｈ１９０２、Ｈ１９０３、Ｈ１９０４の内部には、対応する色のインクが収納されている。又、図８に示すようにそれぞれのインクタンクには、インクタンク内のインクを記録ヘッドＨ１００１に供給するためのインク供給口Ｈ１９０７が形成されている。例えばインクタンクＨ１９０１が記録ヘッドＨ１００１に装着されると、インクタンクＨ１９０１のインク供給口Ｈ１９０７が記録ヘッドＨ１００１のジョイント部Ｈ１５２０に設けられたフィルターＨ１７００と圧接され、インクタンクＨ１９０１内のブラックインクがインク供給口Ｈ１９０７から記録ヘッドＨ１００１のインク流路Ｈ１５０１を介して第一のプレートＨ１２００を通り第一の記録素子基板に供給される。そして、電気熱変換素子Ｈ１１０３と吐出口Ｈ１１０７のある発泡室Ｈ１１０９にインクが供給され、電気熱変換素子Ｈ１１０３に与えられる熱エネルギーによって被記録媒体である記録用紙に向けて吐出される。
【実施例】
【００５９】
次に実施例及び比較例を挙げて本発明を更に具体的に説明するが、本発明は、その要旨を超えない限り、下記実施例により限定されるものではない。尚、以下の記載で「％」とあるものは、特に断りのない限り質量基準である。
以下に示す成分を混合し、十分に攪拌して溶解した後、ポアサイズ０．２μｍのミクロフィルター（富士フィルム製）にて加圧ろ過し、本発明及び比較例のインクを調製した。
【００６０】
（実施例１）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・一般式Ｉの色材［（ｘ＋ｙ＝４）／（ｘ＋ｙ＝３）＝２．３、
商標名；Projet Cyan 1(Avecia社製）                            ０．４％
・アシッドブルー  ９                                          ０．４％
・例示化合物２                                              ２．１３％
・例示化合物１のＬｉ塩とＮａ塩の混合物（モル比  Ｌｉ塩：Ｎａ塩＝２：１）
１．０７％
・水                                                            ７５％
【００６１】
（実施例２）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・一般式Ｉの色材［（ｘ＋ｙ＝４）／（ｘ＋ｙ＝３）＝２．３、
商標名；Projet Cyan 1(Avecia社製）                          ０．５５％
・アシッドブルー  ９                                        ０．２５％
・例示化合物２                                              ２．１３％
・例示化合物１のＬｉ塩とＮａ塩の混合物（モル比  Ｌｉ塩：Ｎａ塩＝２：１）
１．０７％
・水                                                            ７５％
【００６２】
（比較例１）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・一般式Ｉの色材［（ｘ＋ｙ＝４）／（ｘ＋ｙ＝３）＝２．３、
商標名；Projet Cyan 1(Avecia社製）                            ０．８％
・ダイレクトイエロー  １３２                                  ３．２％
・水                                                            ７５％
【００６３】
（比較例２）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・アシッドブルー  ９                                          ０．８％
・ダイレクトイエロー  １３２                                  ３．２％
・水                                                            ７５％
【００６４】
（比較例３）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・一般式Ｉの色材［（ｘ＋ｙ＝４）／（ｘ＋ｙ＝３）＝２．３、
商標名；Projet Cyan 1(Avecia社製）                            ０．４％
・アシッドブルー  ９                                          ０．４％
・ダイレクトイエロー  １３２                                  ３．２％
・水                                                            ７５％
【００６５】
（比較例４）
・グリセリン                                                    １０％
・ジエチレングリコール                                          １０％
・アセチレングリコールエチレンオキサイド付加物（商品名：アセチレノール
ＥＨ；川研ファインケミカル（株）社製）                            １％
・一般式Ｉの色材［（ｘ＋ｙ＝４）／（ｘ＋ｙ＝３）＝２．３、
商標名；Projet Cyan 1(Avecia社製）                            ０．４％
・アシッドブルー  ９                                          ０．４％
・例示化合物１のＬｉ塩とＮａ塩の混合物（モル比  Ｌｉ塩：Ｎａ塩＝２：１）
３．２％
・水                                                            ７５％
【００６６】
＜評価＞
上記のように作成した記録インクをキヤノン（株）社製ＢＪＦ−９００用のインクカートリッジに詰めＢＪＦ９００を用いて１２００×１２００ｄｐｉの解像度で１ノズルあたり４．５ｐｌの吐出量でベタ画像を形成し、発色性、耐光性、耐ガス性を評価した。記録媒体としてはキヤノン(株)社製インクジェット光沢メディアＰＲ−１０１を使用した。評価方法を以下に記す。尚、何れの場合も印字後、自然乾燥にて２４時間放置した後に評価を行った。
【００６７】
（１）発色性
評価装置；Gretag Spectrolino（商品名：Ｇｒｅｔａｇ社製）
評価方法；試験サンプルのＣＩＥ  Ｌ*ａ*ｂ*を測定し、下記計算式より明度Ｌ*及び彩度Ｃ*を算出した。
Ｃ*＝（ａ*2＋ｂ*2）1/2
ｈ＝１８０°＋ｔａｎ-1（ｂ*／ａ*）      ａ*≦０、ｂ*≧０
【００６８】
（２）耐光性
評価装置；アトラス社製キセノンフェードメータＣｉ３０００
暴露条件；槽内温度２５℃、相対湿度５５％、照度キセノンランプ０．３９Ｗ／ｍ2、３０時間
評価方法；上記（１）と同様にして暴露後の試験サンプルのＣＩＥ  Ｌ*ａ*ｂ*を測定した。下記計算式より、色差ΔＥを、上記（１）の計算式より色相角の差Δｈをそれぞれ算出した。
ΔＥ＝（△Ｌ*2＋△ａ*2＋△ｂ*2）1/2
【００６９】
（３）耐ガス性
評価装置；オゾンフェードメーター
暴露条件；槽内温度４０℃、相対湿度５５％、３ｐｐｍのオゾン雰囲気下の条件で、２時間
評価方法；上記（１）と同様にして暴露後の試験サンプルのＣＩＥ  Ｌ*ａ*ｂ*を測定した。又、上記（２）同様にして色差ΔＥ及び色相角の差Δｈを算出した。
【００７０】
2005298608.tif 000007
【産業上の利用可能性】
【００７１】
以上説明したように、本発明によれば、明度、彩度に優れ、且つ印字した画像の長期保存によるカラーバランスに優れたインクを提供することができる。
【図面の簡単な説明】
【００７２】
【図１】本発明の実施形態におけるインクジェットプリンタの外観構成を示す斜視図である。
【図２】図１に示すものの外装部材を取り外した状態を示す斜視図である。
【図３】図３（ａ）は本発明のインクジェット記録ヘッドを搭載可能な、好適な記録ヘッドカートリッジの斜視図、図３（ｂ）はその分解斜視図である。
【図４】図３に示す記録ヘッドの構成を示す分解斜視図である。
【図５】図３に示す記録ヘッドを更に細かく分解した分解斜視図である。
【図６】図３の記録ヘッドカートリッジの記録素子基板の構成を示す一部切りかき説明斜視図である。
【図７】図３の記録ヘッドカートリッジの他の記録素子基板の構成を示す一部切りかき説明斜視図である。
【図８】図３の記録ヘッドカートリッジの要部断面図である。
【図９】図３の記録ヘッドカートリッジの記録素子ユニットとインク供給ユニットを組み立てたものを示す斜視図である。
【図１０】図３の記録ヘッドカートリッジの底面側を示す斜視図である。
【符号の説明】
【００７３】
Ｍ１０００：装置本体
Ｍ１００１：下ケース
Ｍ１００２：上ケース
Ｍ１００３：アクセスカバー
Ｍ１００４：排出トレイ
Ｍ２０１５：紙間調整レバー
Ｍ３００１：ＬＦローラ
Ｍ３００６：排紙ローラ
Ｍ３０１９：シャーシ
Ｍ３０２２：自動給送部
Ｍ３０２９：搬送部
Ｍ３０３０：排出部
Ｍ４００１：キャリッジ
Ｍ４００２：キャリッジカバー
Ｍ４００７：ヘッドセットレバー
Ｍ４０２１：キャリッジ軸
Ｍ５０００：回復系ユニット
Ｅ０００１：キャリッジモータ
Ｅ０００２：ＬＦモータ
Ｅ００１８：電源キー
Ｅ００１９：レジュームキー
Ｅ００２０：ＬＥＤ
Ｈ１０００：記録ヘッドカートリッジ
Ｈ１００１：記録ヘッド（インクジェット記録ヘッド）
Ｈ１００２：記録素子ユニット
Ｈ１００３：インク供給ユニット
Ｈ１１００：第１の記録素子基板
Ｈ１１０１：第２の記録素子基板
Ｈ１１０２：インク供給口（供給口）
Ｈ１１０３：電気熱変換素子（記録素子）
Ｈ１１０４：電極
Ｈ１１０５：バンプ
Ｈ１１０６：インク流路壁
Ｈ１１０７：吐出口
Ｈ１１０８：吐出口群
Ｈ１１１０：Ｓｉ基板
Ｈ１２００：第１のプレート（第１の支持部材）
Ｈ１２０１：インク連通口
Ｈ１２０２：第１の接着剤
Ｈ１２０３：第２の接着剤
Ｈ１３００：電気配線テープ（可撓性の配線基板）
Ｈ１３０１：外部信号入力端子
Ｈ１３０２：電極リード
Ｈ１３０６：第３の接着剤
Ｈ１３０７：第１の封止剤
Ｈ１３０８：第２の封止剤
Ｈ１３０９：端子位置決め穴
Ｈ１３１０：端子固定部
Ｈ１４００：第２のプレート
Ｈ１５００：インク供給部材
Ｈ１５０１：インク流路
Ｈ１５０３：第１の穴
Ｈ１５０９：Ｘ突き当て部
Ｈ１５１０：Ｙ突き当て部
Ｈ１５１１：Ｚ突き当て部
Ｈ１５１２：端子固定部
Ｈ１５１６：端子位置決めピン
Ｈ１５２０：ジョイント部
Ｈ１６００：流路形成部材
Ｈ１６０１：装着ガイド
Ｈ１６０２：インク連通口
Ｈ１７００：フィルター
Ｈ１８００：シールゴム
Ｈ１９００：インクタンク
Ｈ１９０１：ブラックインクタンク
Ｈ１９０２：シアンインクタンク
Ｈ１９０３：マゼンタインクタンク
Ｈ１９０４：イエローインクタンク
Ｈ１９０７：インク連通口
Ｈ１９１０：第２の爪
Ｈ２０００：タンクホルダー
Ｈ２２００：電気コンタクト基板
Ｈ２３００：ジョイントシール部材
Ｈ２４００：ビス
【図１】
2005298608.tif 000009
【図２】
2005298608.tif 000010
【図３】
2005298608.tif 000011
【図４】
2005298608.tif 000012
【図５】
2005298608.tif 000013
【図６】
2005298608.tif 000014
【図７】
2005298608.tif 000015
【図８】
2005298608.tif 000016
【図９】
2005298608.tif 000017
【図１０】
2005298608.tif 000018